(57)【要約】【課題】室内機が設置されない玄関、トイレ、靴箱、クローゼットなどでも容易に臭気成分の吸着ができ、しかも、脱臭効率を高めて効率的に脱臭することが可能な脱臭装置を提供する。【解決手段】持ち運びが可能な脱臭装置１は、ベース台２と、このベース台２の一端側に配置されるファン４と、このファン４の下流側に配置される脱臭カートリッジ５とで構成されている。脱臭装置１を臭いが発生する場所、例えば靴が多数置いてある玄関、靴箱の中、トイレ、クローゼットなどに置いて電源スイッチをオンする。ファン４が回転して吸込口から周囲の空気が吸い込まれ、脱臭カートリッジ５内では臭気成分が吸着素子である活性炭１２にて吸着され、臭気成分が取り除かれた空気は脱臭カートリッジ５から排出され、さらに脱臭装置１の後板２３の吹出口２４から外部に吹き出される。【選択図】図２
2008167902.tif 000002
【特許請求の範囲】
【請求項１】
ベース台（２）と、ベース台（２）に取付けられたファン（４）と、ベース台（２）の周囲を覆うケースカバー（６）とで本体ケース（８）を構成し、前記本体ケース（８）の内部において、臭気成分を吸着する吸着素子を備えた脱臭カートリッジ（５）を、ファン（４）による空気流路中に配置したことを特徴とする脱臭装置。
【請求項２】
前記流通空気を冷却する冷却部（４０）を設けていることを特徴とする請求項１に記載の脱臭装置。
【請求項３】
前記吸着素子は、放電によって発生する活性種によって再生可能であることを特徴とする請求項１または請求項２に記載の脱臭装置。
【請求項４】
放電ユニット（６０）を備えると共に、前記放電ユニット（６０）によって発生する活性種の浮遊空気路中に収納部（６２）が設けられた空気清浄機（５０）の前記収納部（６２）において、前記吸着素子が再生可能であることを特徴とする請求項３に記載の脱臭装置。
【請求項５】
前記脱臭カートリッジ（５）は、前記空気清浄機（５０）に予め付随している部材であることを特徴とする請求項４に記載の脱臭装置。
【発明の詳細な説明】
【技術分野】
【０００１】
本発明は、嫌な臭いの臭気成分を吸着する脱臭装置に関するものであり、より詳しくは脱臭性能が一段と向上された脱臭装置に係るものである。
【背景技術】
【０００２】
従来より活性炭を用いた脱臭器を冷蔵庫の中に置いておき、冷蔵庫内の脱臭を行うようにしたものが提供されている。また、近年では、玄関、トイレ、靴箱などに置いて臭気成分を吸着させる脱臭器も提供されている。しかしながら、この種の吸着方式による脱臭器は、玄関、トイレ、靴箱などに単に置いておくだけであるために、周囲の空気と接触することが少なく、脱臭器の近傍の空気のみにしか接触しないので、脱臭スピードや適用可能なスペースが限定され、臭気成分を吸着するのに長時間を要するという問題があった。
【０００３】
また、室内のタバコやトイレ等の生活臭の脱臭や有機物質による室内空気汚染の対しての抗菌性ということから脱臭フィルタを空気調和機の室内機に搭載したものとして、例えば、下記の特許文献１が挙げることができる。
【０００４】
この特許文献１では、室内機の送風流路に脱臭フィルタを配設し、室内機に吸い込まれた空気に含まれている臭気成分等を吸着して脱臭を行うものである。しかしながら、この特許文献１においては、室内機を設けている部屋だけしか臭気成分を吸着することができず、一般の家庭では室内機が設置されない玄関、トイレ、靴箱、クローゼットなどでは脱臭することができないという問題を有している。
【０００５】
【特許文献１】特開２００１−１５３３８６号公報
【発明の開示】
【発明が解決しようとする課題】
【０００６】
この発明は上記従来の欠点を解決するためになされたものであって、その目的は、室内機が設置されない玄関、トイレ、靴箱、クローゼットなどでも容易に臭気成分の吸着ができ、しかも、脱臭効率を高めて効率的に脱臭することの可能な脱臭装置を提供することにある。
【課題を解決するための手段】
【０００７】
そこで、請求項１に記載の脱臭装置では、ベース台２と、ベース台２に取付けられたファン４と、ベース台２の周囲を覆うケースカバー６とで本体ケース８を構成し、前記本体ケース８の内部において、臭気成分を吸着する吸着素子を備えた脱臭カートリッジ５を、ファン４による空気流路中に配置したことを特徴とする。
【０００８】
請求項２に記載の脱臭装置では、前記流通空気を冷却する冷却部４０を設けていることを特徴とする。
【０００９】
請求項３に記載の脱臭装置では、前記吸着素子は、放電によって発生する活性種によって再生可能であることを特徴とする。
【００１０】
請求項４に記載の脱臭装置では、放電ユニット６０を備えると共に、前記放電ユニット６０によって発生する活性種の浮遊空気路中に収納部６２が設けられた空気清浄機５０の前記収納部６２において、前記吸着素子が再生可能であることを特徴とする。また、請求項５に記載の脱臭装置では、脱臭装置１の脱臭カートリッジ５は、前記空気清浄機５０に予め付随している部材であることを特徴とする。
【発明の効果】
【００１１】
請求項１に記載の脱臭装置によれば、単に脱臭カートリッジ５のみを置いて臭気成分を吸着させているのではなく、ファン４を回転させて周囲の空気を吸い込み、吹き出していることで、空気の対流を起こさせて脱臭カートリッジ５での臭気成分の吸着性能を向上させることができる。これにより、脱臭カートリッジ５の脱臭効率を高めることができ、効率的に脱臭することができる。また、脱臭カートリッジ５を納装した脱臭装置１は持ち運びが可能なので、室内機が設置されない玄関、トイレ、靴箱、クローゼットなどでも容易に臭気成分の吸着ができ、しかも、脱臭効率を高めて効率的に脱臭することができる。
【００１２】
請求項２に記載の脱臭装置によれば、前記流路空気を冷却する冷却部４０を設けているので、空気を冷却して脱臭カートリッジ５での臭気成分の吸着量を一層促進させることができる。
【００１３】
請求項３に記載の脱臭装置によれば、脱臭装置１を任意の場所において臭気成分を脱臭カートリッジ５にて吸着させて、吸着性能が低下した場合には、脱臭カートリッジ５を再生できる。また、請求項４に記載の脱臭装置によれば、空気清浄機５０の収納部６２に脱臭カートリッジ５を収納して脱臭カートリッジ５を再生することができ、そのため、脱臭カートリッジ５を再度、脱臭装置１に戻して臭気成分を吸着させることができる。したがって、請求項３及び請求項４に記載の脱臭装置によれば、何回も脱臭カートリッジ５を再利用することができ、使い勝手が良い。
【００１４】
請求項５に記載の脱臭装置によれば、脱臭装置１の脱臭カートリッジ５は、前記空気清浄機５０に予め付随している部材であり、この付随している脱臭カートリッジ５を脱臭装置１に置いて使用することで、脱臭カートリッジ５を単独で使用する場合と比べて脱臭カートリッジ５の脱臭効率を高めることができ、脱臭カートリッジ５の使い勝手を一層向上させることができる。
【発明を実施するための最良の形態】
【００１５】
次に、この発明の脱臭装置の具体的な実施の形態について図面を参照しつつ詳細に説明する。図１は周囲の空気中の臭気成分を吸着する脱臭カートリッジを着脱自在に装着した脱臭装置１の斜視図を示し、図２は脱臭装置１の分解斜視図を示している。この持ち運び可能な脱臭装置１は、側方から見た場合略Ｌ型形状のベース台２と、このベース台２の一方の端部に配設されているファンモータ３にて回転駆動されるファン４と、ベース台２の上面の略中央部分に着脱自在に装着され前記ファン４の下流側に配置される脱臭カートリッジ５と、この脱臭カートリッジ５を覆設するようにベース台２の開口部分を覆う断面が略コ字型のケースカバー６等で構成されている。なお、上記ベース台２と、ファン４と、ケースカバーとで本体ケース８を構成している。
【００１６】
また、ベース台２の内部には電源としての電池７が収納され、蓋１０を開閉することで、電池収納部１１に電池７の着脱が行なえるようになっている。さらに、ベース台２の上面には、脱臭装置１を制御する電子回路からなる制御装置（図示せず）が配設されている。また、図１及び図２では、脱臭装置１を操作するための操作部や、該操作部にて操作された状況を表示する表示部等は図示省略している。
【００１７】
図３はケースカバー６を外した状態の脱臭装置１の斜視図を示し、図２及び図３に示すように、脱臭カートリッジ５の内部には吸着素子として、例えば活性炭１２が納装されている。該脱臭カートリッジ５のケーシング１３の上面には長穴状の開口部１４が、ケーシング１３の上面の両側の端部から両側の側面にかけては多数の開口部１５が、更にはケーシング１３の前後の端面には複数の開口部１６がそれぞれ設けられている。これらの開口部１４〜１６を介してファン４により送風される空気が出入りするようになっている。なお、ケースカバー６の両側面には略楕円状の凸部１７は突設されている。
【００１８】
図４は脱臭装置１の平面図を示し、図５は脱臭装置１の側面図を示している。また、図６は脱臭装置１の正面図を示し、ベース台２の端部に形成されている四角壁状のモータ配置部２０の先端開口面には平板状の前板２１が設けられていて、この前板２１には空気を吸い込むための多数の吸込口２２が列設されている。さらに、図７は脱臭装置１の背面図を示しており、ケースカバー６の後部の開口面には後板２３が装着されており、この後板２３には空気を吹き出すための吹出口２４が多数列設してある。
【００１９】
図８は脱臭装置１の電子回路関係のブロック図を示し、脱臭装置１の電源の入り、切りを行なう電源スイッチ３１と、入りタイマー、切りタイマーなどのタイマー機能の設定操作を行なうタイマー操作部３２と、ファン４の運転を連続か間欠かを設定する連続−間欠運転切替操作部３３と、ファン４の間欠運転の時間を任意に設定する間欠時間設定操作部３４と、非運転時に臭いや湿度などの環境変化を判断して運転したり、人の有無を判断して運転したりする自動の切替設定を行なう自動切替操作部３５等がベース台２の表面に設けられている。また、脱臭装置１内には、臭いを検出する臭いセンサー４３や湿度を検出する湿度センサー３６と、人の有無を検出する光センサーや熱センサー３７が設けられていて、上記各部３１〜３７からの信号が全体を制御するマイクロコンピュータからなる制御部４２に入力されている。また、各種の信号（データ）を一時的に格納したり、制御用プログラムを格納したりする記憶部４１が設けられている。
【００２０】
また、脱臭装置１の通電状況、連続、間欠、タイマー、ファン４の回転状況、使い始めてからの期間などの運転状態を表示する表示部３８がベース台２の表面に設けられている。また、使用期間をカウントするカウンタ部３９が設けられていて、このカウンタ部３９からの信号が制御部４２を介して表示部３８に使用期間等が表示される。また、ペルチェ素子からなる冷却部４０が設けられており、この冷却部４０を脱臭装置１内の空気流路中に配置し、脱臭装置１内を流れる空気を冷却することで、脱臭カートリッジ５における吸着性能を向上させている。冷却部４０にて脱臭カートリッジ５での臭気成分の吸着量を促進させているが、加熱部を設けて臭気成分の吸着量を促進させるようにしても良い。また、ヒーターを設けて加熱により脱臭装置１内の空気を乾燥させたり、吸湿剤にて水分吸着を避けて臭気成分の吸着効率を向上させたりしても良い。
【００２１】
なお、前記電池７は乾電池でもよく、電池７を充電池として家庭用コンセントに差し込んで充電回路を介して直接充電する構成としても良い。また、電池７を太陽電池で構成しても良い。さらに、図３では脱臭装置１内の脱臭カートリッジ５を１個としているが、複数の脱臭カートリッジ５を設けるようにしても良い。
【００２２】
上記のようにして構成されている脱臭装置１を臭いが発生する場所、例えば靴が多数置いてある玄関、靴箱の中、トイレ、クローゼットなどに置いて電源スイッチ３１をオンする。電源スイッチ３１がオンされると制御部４２がファンモータ３を駆動し、脱臭装置１の前板２１の吸込口２２から周囲の空気が吸い込まれ、吸い込まれた空気が脱臭カートリッジ５内に吸い込まれる。脱臭カートリッジ５内では臭気成分が吸着素子である活性炭１２にて吸着され、臭気成分が取り除かれた空気は脱臭カートリッジ５から排出され、さらに脱臭装置１の後板２３の吹出口２４から外部に吹き出される。
【００２３】
かかる場合、単に脱臭カートリッジ５のみを置いて臭気成分を吸着させているのではなく、ファン４を回転させて周囲の空気を吸い込み、吹き出していることで、空気の対流を起こさせて脱臭カートリッジ５での臭気成分の吸着性能を向上させることができる。これにより、脱臭カートリッジ５の脱臭効率を高めることができ、効率的に脱臭することができる。また、脱臭カートリッジ５を納装した脱臭装置１は持ち運びが可能なので、従来例とは異なり室内機が設置されない玄関、トイレ、靴箱、クローゼットなどでも容易に臭気成分の吸着ができ、しかも、脱臭効率を高めて効率的に脱臭することができる。更には、脱臭装置１内には冷却部４０を設けていることで、空気を冷却して脱臭カートリッジ５での臭気成分の吸着量を一層促進させることができる。
【００２４】
なお、脱臭カートリッジ５は、一定の吸着量に達すると臭気成分の吸収性能が低下するので、カウンタ部３９での使用期間をカウントした期間が予め設定しておいた期間に達した場合には、その旨を表示部３８に表示させることで、使い勝手を向上させることができる。
【００２５】
ところで、脱臭カートリッジ５が一定の吸着量に達した場合に、脱臭カートリッジ５を再生する方法として本発明では以下のようにしている。図９は室内に設置するタイプの空気清浄機５０を示し、本体ケーシング５１の上面の後部に吹出口５２が設けられ、本体ケーシング５１の下部には下方吸込口５３が、本体ケーシング５１の両側の側面には側面吸込口５４がそれぞれ設けられている。下方吸込口５３と側面吸込口５４から室内の空気が本体ケーシング５１内に吸い込まれて、本体ケーシング５１内に設けられた後述するストリーマ放電ユニットにて清浄化された空気が吹出口５２より吹き出される。
【００２６】
図１０は空気清浄機５０内における空気流の流れを示す図であり、ファンモータ５５にて回転駆動されたファン５６により空気が吸込口５３、５４から吸い込まれ、この吸い込まれた空気はプレフィルタ５７、プラズマイオン化部５８、光触媒フィルタ５９、プラズマ触媒フィルタ６０を介して清浄化されて吹出口５２から吹き出される。また、図１０及び図１１に示すように、空気清浄機５０内の上部には上述のストリーマ放電ユニット６０が配設されている。
【００２７】
ストリーマ放電ユニット６０は、対向電極と、この対向電極と対向して配置されているストリーマ放電電極とで構成されており、対向電極とストリーマ放電電極との間に、直流、交流またはパルスの放電電圧が印加されると、両電極間にストリーマ放電が生じる。このストリーマ放電が生じると、放電場に低温プラズマが生成し、この低温プラズマにより、高速電子、イオン、オゾン、ヒドロキシラジカルなどのラジカル種や、その他の励起分子（励起酸素分子、励起窒素分子、励起水分子）などが生成される。これらの活性種を脱臭剤に当てると脱臭性能を再生させることができる。
【００２８】
なお、これらの活性種は、非常にエネルギーレベルが高く、空気に含まれるアンモニア類や、アルデヒド類、窒素酸化物など小さな有機分子および消臭する能力を有している。
【００２９】
ところで、この空気清浄機５０には、内部に脱臭剤を備えた脱臭カートリッジを収納可能としたカートリッジ収納部を設けている。すなわち、空気清浄機５０本体とは別個に脱臭用の脱臭カートリッジを有しており、この脱臭カートリッジを玄関、トイレ、靴箱、クローゼットなどに置いて臭気成分を吸着した後に、脱臭カートリッジを空気清浄機５０のカートリッジ収納部に収納し、ストリーマ放電ユニット６０によりストリーマ放電を生じさせて生成される活性種により脱臭カートリッジを再生する機能を有しているものである。
【００３０】
この空気清浄機５０に予め付随している脱臭カートリッジが上記脱臭カートリッジ５であり、図９以降の空気清浄機５０に関する説明では、脱臭カートリッジ５を脱臭カートリッジ５として説明する。図９及び図１２に示すように、空気清浄機５０の本体ケーシング５１の一方の側面にはポケット状のカートリッジ収納部６２が開閉自在に設けられており、このカートリッジ収納部６２に脱臭カートリッジ５を収納し、ストリーマ放電により脱臭カートリッジ５を再生するようになっている。
【００３１】
ここで、空気清浄機５０内では、図１０に示すように、吸い込まれた空気を清浄化して吹出口５２より室内へと吹き出される空気が通るメイン空気流路Ｆ１と、吹出口５２の近傍における空気を上流側に戻すバイパス空気流路Ｆ２とが設けられている。そして、図１０〜図１２に示すように、このバイパス空気流路Ｆ２中にカートリッジ収納部６２を配置し、カートリッジ収納部６２内に収納した脱臭カートリッジ５にバイパス空気流が供給され、脱臭カートリッジ５の脱臭剤に吸着している臭気成分を分解して再生させるようにしている。
【００３２】
これにより、脱臭装置１を任意の場所において臭気成分を脱臭カートリッジ５（脱臭カートリッジ５）にて吸着させて、吸着性能が低下した場合には、空気清浄機５０のカートリッジ収納部６２に脱臭カートリッジ５を収納して脱臭カートリッジ５を再生することができ、そのため、再度脱臭カートリッジ５を脱臭装置１に戻して臭気成分を吸着させることができる。したがって、何回も脱臭カートリッジ５を再利用することができ、使い勝手が良い。
【００３３】
また、脱臭装置１の脱臭カートリッジ５は、前記空気清浄機５０に予め付随している部材であり、この付随している脱臭カートリッジ５を脱臭装置１に置いて使用することで、脱臭カートリッジ５を単独で使用する場合と比べて脱臭カートリッジ５の脱臭効率を高めることができ、脱臭カートリッジ５の使い勝手を一層向上させることができる。
【００３４】
なお、脱臭装置１の脱臭カートリッジ５において、ストリーマ放電以外に、紫外線ランプと光触媒とにより、活性種を発生させ、臭気成分を吸着しながら同時に脱臭効果を再生させるようにしても良いし、プラズマ放電によって生成されるオゾンのような活性種を用いて再生させてもよい。また、脱臭カートリッジ５の再生には、空気清浄機５０を利用する他、再生専用機を用いてもよい。これは、図１３に示すように、蓋６４を備えたボックス本体６５の一方側に前記ストリーマ放電ユニット６０を配置し、この放電ユニット６０によって発生する活性種の浮遊空気路６６の中に脱臭カートリッジ５を配置して再生を行うようにしたものである。さらに、吸着素子として活性炭１２を用いる例を示したが、この他、紙や臭いを吸着できる他の脱臭機能材を使用することもできる。また、脱臭装置１内の脱臭カートリッジ５の空気の入口と出口側でのガス吸着量の差を測定し、臭気成分の吸着性能を表示部３８にて表示させるようにしても良い。更には、ファン４により吸引してしまう塵を脱臭カートリッジ５への吸引前に集塵フィルタにより取り除く機能を持たせるようにしても良い。
【図面の簡単な説明】
【００３５】
【図１】本発明の実施の形態における脱臭装置の斜視図である。
【図２】本発明の実施の形態における脱臭装置の分解斜視図である。
【図３】本発明の実施の形態におけるケースカバーを外した状態の脱臭装置の斜視図である。
【図４】本発明の実施の形態における脱臭装置の平面図である。
【図５】本発明の実施の形態における脱臭装置の側面図である。
【図６】本発明の実施の形態における脱臭装置の正面図である。
【図７】本発明の実施の形態における脱臭装置の背面図である。
【図８】本発明の実施の形態における脱臭装置のブロック図である。
【図９】本発明の実施の形態における空気清浄機の斜視図である。
【図１０】本発明の実施の形態におけるメイン空気流とバイパス空気流の流れを示す説明図である。
【図１１】本発明の実施の形態におけるメイン空気流とバイパス空気流の流れを示す説明図である。
【図１２】本発明の実施の形態における空気清浄機の要部斜視図である。
【図１３】脱臭カートリッジの再生専用機の説明図である。
【符号の説明】
【００３６】
１  脱臭装置
２  ベース台
４  ファン
５  脱臭カートリッジ
８  本体ケース
４０  冷却部
５０  空気清浄機
６０  ストリーマ放電ユニット
６２  カートリッジ収納部
【図１】
2008167902.tif 000003
【図２】
2008167902.tif 000004
【図３】
2008167902.tif 000005
【図４】
2008167902.tif 000006
【図５】
2008167902.tif 000007
【図６】
2008167902.tif 000008
【図７】
2008167902.tif 000009
【図８】
2008167902.tif 000010
【図９】
2008167902.tif 000011
【図１０】
2008167902.tif 000012
【図１１】
2008167902.tif 000013
【図１２】
2008167902.tif 000014
【図１３】
2008167902.tif 000015